(57)【要約】      （修正有）【課題】注出口の先端が分離せず、小さなゴミが出ないように改良された注出口付き袋を提供する。【解決手段】袋の上部の肩部に、その外周をヒートシールして形成された注出口２が設けられている。袋の肩部には、また、その一方端から他方端に向かって切り裂くことによって注出口２を開封する開封用切断線７が設けられている。袋の肩部近傍のヒートシールされた領域１１内に、前後２面の壁面フィルム１ａ、１ｂを重ね合わせ方向に貫通する、両端がつながらない曲線形状の切り込み線８が設けられている。開封用切断線７の他方端は、曲線形状の切り込み線８に接続されている。【選択図】図１
2018144844.tif 000002
【特許請求の範囲】
【請求項１】
前後２面の壁面フィルムからなる袋の上部の肩部に、その外周をヒートシールして形成された注出口が設けられた注出口付き袋において、
前記袋の前記肩部に設けられ、その一方端から他方端に向かって切り裂くことによって前記注出口を開封する開封用切断線と、
前記袋の前記肩部近傍のヒートシールされた領域内に設けられ、前記前後２面の壁面フィルムを重ね合わせ方向に貫通する、両端がつながらない曲線形状の切り込み線と、を備え、
前記開封用切断線の前記他方端は、前記曲線形状の切り込み線に接続されていることを特徴とする注出口付き袋。
【請求項２】
前記曲線形状の切り込み線は、Ｃ字形状の切り込み線を含む請求項１に記載の注出口付き袋。
【請求項３】
前記Ｃ字形状の切り込み線の一方の端部と他方の端部の距離は、少なくとも５ｍｍ確保されている、請求項１又は２に記載の注出口付き袋。
【発明の詳細な説明】
【技術分野】
【０００１】
本発明は一般に注出口付き袋に関するものであり、より特定的には、注出口の先端が分離せず、小さなゴミが出ないように改良された注出口付き袋に関する。
【背景技術】
【０００２】
従来、各種液体化粧品、クレンザー、洗剤、柔軟剤、エマルジョン糊、各種飲料、醤油、ソース、麺つゆなどの液体調味料のような液状物や、粉乳、ココアなどの粉体は、主に、プラスチックボトル、ガラス瓶、金属缶などの保形性のある容器に充填され、流通・使用に供され、使用後の容器は廃棄処分にされていた。しかし、そのため資源が消費され、商品に占める容器コストの割合も無視できないものがあった。そこで、廃棄物処理の問題も考慮し、これらの容器は、使用後、分別処理され、回収、リサイクルすることも進められている。
【０００３】
このような見地から、使用後のボトルなどの容器に同一内容物を補充するために用いる図５（Ａ）（Ｂ）に示すような詰め替えパウチが流通している。
【０００４】
従来の詰め替えパウチ１の基本的構成は、図５（Ａ）（Ｂ）に示すように、前後２面の壁面フィルム１ａ、１ｂを備え、これらの側部と上部と下部をシールしてなる。図中、ドット状のハッチングで示した部分がヒートシール領域１１である。袋の上部の肩部に、その外周をヒートシールしてなる注出口２が設けられている。詰め替えパウチ１は、壁面フィルム１ａ、１ｂの下部の間に、底面フィルム３を内側に向けて折り返し、底面フィルム折り返し部４まで挿入してなるガゼット５を有する。底面フィルム３を広げると、図５（Ｂ）に示すように自立する。
【０００５】
内容物を他の容器に移し替える際には、詰め替えパウチ１の指つまみ部６を指でつまんで、切断線７を、注出口２の先端の一方の側から他方の側へ切り裂いて、図５（Ｃ）に示すような指つまみ部６を取り去って、注出口２を開封する。次に、注出口２を、たとえばネジ口容器のネジ口にあてがって、そのまま傾けて、内容物を移し替える。
【０００６】
従来の詰め替えパウチは以上のように構成されていたので、注出口２を開封の際に、図５（Ｃ）に示すような、切り取られた指つまみ部６が生じ、小さなゴミとなり、扱いが煩わしいという課題があった。これについて、指つまみ部がゴミにならないようにする提案もなされている（特許文献１）が、十分なものが得られていない。
【先行技術文献】
【特許文献】
【０００７】
【特許文献１】特開２０００−２９６８５９号公報
【発明の概要】
【発明が解決しようとする課題】
【０００８】
本発明は、上記のような課題を解決するためになされたもので、注出口の先端が分離せず、小さなゴミが出ないように改良された注出口付き袋を提供することを目的とする。
【課題を解決するための手段】
【０００９】
本発明に係る注出口付き袋は、一方の壁面フィルムと他方の壁面フィルムからなる前後２面の壁面フィルムからなる袋の上部の肩部に、その外周をヒートシールして形成された注出口が設けられた注出口付き袋において、上記袋の上記肩部に設けられ、その一方端から他方端に向かって切り裂くことによって上記注出口を開封する開封用切断線と、上記袋の上記肩部近傍のヒートシールされた領域内に設けられ、上記前後２面の壁面フィルムを重ね合わせ方向に貫通する、両端がつながらない曲線形状の切り込み線と、を備え、上記開封用切断線の上記他方端は、上記曲線形状の切り込み線に接続されていることを特徴とする。
【００１０】
本発明によれば、上記開封用切断線がその一方端から他方端に向かって切り裂かれて、上記注出口が開封される。Ｃ字形状の切り込み線の部分は、既に切れているので、裂けは、上記曲線形状の切り込み線の所で止められ、裂けが延びない。
【００１１】
上記両端がつながらない曲線形状の切り込み線は、Ｃ字形状の切り込み線であるのが好ましい。
【００１２】
上記Ｃ字形状の切り込み線の一方の端部と他方の端部の距離は、少なくとも５ｍｍ確保されているのが好ましい。
【００１３】
注出口付き袋を構成する前後２面の壁面フィルムは、主にプラスチックを主体とする積層フィルムを用いるが、特に限定はされず、液状などの内容物の包装用袋に用いられている公知の積層フィルムは、いずれも使用することができ、充填する内容物の種類や充填後の加熱処理の有無など、使用条件に応じて適する材料を自由に選択して使用することができる。
【００１４】
本発明の好ましい実施態様によれば、上記２面の壁面フィルムの樹脂構成は、ナイロン/接着剤層/ＬＬ（linear low density polyethylene）シール層、ＰＥＴ（ポリエチレンテレフタレート）/ナイロン/接着剤層/ＬＬシール層又はナイロン/蒸着ＰＥＴフィルム/ＬＬシール層である。蒸着ＰＥＴフィルムとは、アルミニウムを高真空状態で気化させ、その蒸気をＰＥＴフィルム表面に付着させたものをいう。
【００１５】
上記袋は、自立性を有する形式に形成されていてもよい。例えば、スタンディングパウチや、フラットボトムタイプのガゼット袋が例示される。
【発明の効果】
【００１６】
本発明によれば、上記開封用切断線がその一方端から他方端に向かって切り裂かれて、上記注出口が開封されるが、この裂けは、曲線形状の切り込み線の所で止められ、裂けが延びない。そのため、指つまみ部が切り離されない。ひいては、ゴミが出ない。
【図面の簡単な説明】
【００１７】
【図１】実施例１に係る注出口付き袋の正面図である。
【図２】（Ａ）実施例１に係る注出口付き袋の動作を説明する第１図であり、指つまみ部を指でつまんで注出口を開封する工程、（Ｂ）は開封を終えた工程（少し拡大して描いている）、（Ｃ）は、詰め替えの工程を説明する図である。
【図３】両端がつながらない曲線形状の切り込み線８の、種々の平面形状を示す図である。
【図４】実施例２に係る注出口付き袋の正面図である。
【図５】（Ａ）は、従来の注出口付き袋の正面図であり、（Ｂ）は、ガゼット部を開いて自立させた時の正面図であり、（Ｃ）は、従来の注出口付き袋の問題点を説明するための図である。
【発明を実施するための最良の形態】
【００１８】
注出口の開封の際にゴミが出ない注出口付き袋を得るという目的を、開封用切断線の他方端を、両端がつながらない曲線形状の切り込み線に接続することによって実現した。
【００１９】
以下、この発明の実施例を、図を用いて説明する。各図において同一又は相当する部分には同一の参照番号を付し、その説明を繰り返さない。なお、動作を説明する第２図において、図面の簡略化のため、ヒートシールされた領域のハッチングを省略する。
【実施例１】
【００２０】
図１を参照して、実施例１に係る詰め替えパウチ１は、一方の壁面フィルム１ａと他方の壁面フィルム１ｂからなる前後２面の壁面フィルムを備え、周囲をヒートすることによって、袋状に仕上げられている。
【００２１】
２面の壁面フィルム１ａ、１ｂの樹脂構成は、ナイロン（１５μｍ）/接着剤層/ＬＬシール層（１２０μｍ）、ＰＥＴ（１２μｍ）/ナイロン（１５μｍ）/接着剤層/ＬＬシール層（１２０μｍ）又はナイロン（１５μｍ）/蒸着ＰＥＴフィルム（１２μｍ）/ＬＬシール層（１２０μｍ）である。
【００２２】
袋の上部の肩部に、その外周をヒートシールして形成された注出口２が設けられている。袋の肩部には、また、その一方端から他方端に向かって切り裂くことによって注出口２を開封する開封用切断線７が設けられている。袋の肩部近傍のヒートシールされた領域１１内に、前後２面の壁面フィルム１ａ、１ｂを重ね合わせ方向に貫通する、両端がつながらない曲線形状の切り込み線８が設けられている。切り込み線８は、平面視でＣ字形状を有する。Ｃ字形状の切り込み線８の一方の端部と他方の端部の距離Ｌは、少なくとも５ｍｍ確保されている。これによって、Ｃ字形状で囲まれた部分が、本体につながっている。開封用切断線７の他方端は、曲線形状の切り込み線８の背の部分に接続されている。
【００２３】
開封用切断線７は、表側及び裏側に同様に形成されている。開封用切断線７は、例えば、光学反射式のレーザーマーカーを使用して、フィルムの表面に溝加工を施すことで形成される。Ｃ字形状の切り込み線８は、レーザ加工でもよく、また例えばカッターで形成されてもよい。袋の上辺は、内容物を充填した後、ヒートシールされる。
【００２４】
開封の動作について説明する。図１と図２（Ａ）を参照して、指つまみ部６を指でつまんで、開封用切断線７をその一方端から他方端に向かって切り裂いて、注出口２を開封する。開封用切断線７は裂けて切れていくが、Ｃ字形状の切り込み線８の部分は、既に切れているので、開封用切断線７の裂けは、Ｃ字形状の切り込み線８の背の部分で止められ、裂けがそれ以上延びない。図２（Ｂ）に示すように、Ｃ字形状の切り込み線８の部分は、既に切れているので、そのまま開いて、突き出た注出口２を露出させる。Ｃ字形状の切り込み線８の一方の端部と他方の端部との間のつながり部分（距離Ｌ）の残存により、指つまみ部６は切り離されず、ゴミも出ない。その後、図２（Ｃ）に示すように、注出口２を、たとえばネジ口容器９のネジ口にあてがって、そのまま傾けて、内容物を移し替える。
【００２５】
図３は、開封用切断線の他方端が接続される、両端がつながらない曲線形状の切り込み線８の種々の変形例を平面視で示す図である。いずれの曲線形状の切り込み線８も、袋の肩部近傍のヒートシールされた領域内に設けられ、前後２面の壁面フィルムを重ね合わせ方向に貫通するものである。（Ａ）は、角が曲線のＬ字形状であり、（Ｂ）は円の一部が切り取られたような形状、（Ｃ）は角が円弧の矩形の一部の辺が切り取られたような形状であり、（Ｄ）は楕円の一部が切り取られたような形状である。いずれも、曲線形状であり、かつ曲線形状の切り込み線８の両端がつながらず、切り込み線の一方の端部と他方の端部の距離は、少なくとも５ｍｍ確保されている。曲線で囲まれた部分が本体につながっていることが特徴である。曲線状にすることにより、裂けを防ぐことができる。
【実施例２】
【００２６】
図４は、実施例２に係る詰め替えパウチの正面図である。立体加工線１０が設けられている点で、図１実施例と異なるが、その他の構成は実施例１と同様である。立体加工線１０が設けられても、同様の効果を奏する。すなわち、開封用切断線７は裂けて切れていくが、この裂けは、Ｃ字形状の切り込み線８の所で止められ、裂けがそれ以上延びない。なお、立体加工線１０を設けると、詰め替え時に内容物で注出口２が閉塞されないという、新たな効果が生じる。
【００２７】
得られた詰め替えパウチは、台所用洗剤、お風呂の洗剤、ハンドソープ、ボディソープ、シャンプー、リンス、コンディショナーなどに利用することができる。
【００２８】
上記実施例では、注出口付き袋の具体例として詰め替えパウチを例示したが、この発明はこれに限られるものでない。
【００２９】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３０】
本発明に係る注出口付き袋によれば、指つまみ部が本体の袋から切り離されてゴミになるという弊害はない。搬出ゴミの削減化を図ることができる。
【符号の説明】
【００３１】
１     詰め替えパウチ
１ａ、１ｂ    壁面フィルム
２     注出口
３     底面フィルム
４     底面フィルム折り返し部
５     ガゼット
６     指つまみ部
７     開封用切断線
８     切り込み線
９     ネジ口容器
１０   立体加工線
１１   ヒートシールされた領域
【図１】
2018144844.tif 000003
【図２】
2018144844.tif 000004
【図３】
2018144844.tif 000005
【図４】
2018144844.tif 000006
【図５】
2018144844.tif 000007